(57)【特許請求の範囲】
【請求項１】
かばん本体（Ｂ）に固定する錠体（１）と、蓋体（Ｃ）に取り付ける掛止板（２）とを備え、掛止板（２）に穿った嵌合孔（３）に係合する係止突体（４）の底面（４ａ）に設けた止着体（６）を、錠体（１）に設けた通孔（７）に挿入し、この錠体（１）とは別体とした箱体（５）の止着孔（８）に挿入して、止着体（６）の先端部をかしめたものとして、係止突体（４）を錠体（１）表面に突設すると共に、箱体（５）を錠体（１）内部に固定し、係止突体（４）の表面に外形が略同形の掛止部材（９）を回動可能に枢支し、その枢軸（１０）に掛止部材（９）を回動させる方向に作用するコイルばね（１１）を設け、前記掛止部材（９）の枢軸（１０）に、前記箱体（５）内に一端を枢支して設けた制止板（１４）に係止する第一フランジ（１２ａ）、および前記箱体（５）内に設けた係止体（１３）に係止する第二フランジ（１２ｂ）を突出した回動制限片（１２）を固着して、前記掛止部材（９）が係止突体（４）と一致した位置、または９０度回動した位置となって停止するようにし、前記制止板（１４）の中間部に制止片（１４ａ）を突設し、さらに前記制止板（１４）の他端に、この制止板（１４）の制止片（１４ａ）を錠体（１）表面に突出する方向に作用するコイルばね（２４）を設け、この制止片（１４ａ）を掛止部材（９）の手前において錠体（１）表面の一個所に突出させ、また前記掛止板（２）に磁力が作用するようにした永久磁石（２６）を錠体（１）と箱体（５）の間に装着したことを特徴とするかばん錠。
【請求項２】
前記錠体（１）を、任意の外形状（１ａ）および模様（１ｂ）を有したものとしたことを特徴とする請求項１記載のかばん錠。
【発明の詳細な説明】
【技術分野】
【０００１】
この発明は、主にランドセルに用いられ、施錠操作が非常に簡単に行えるかばん錠に関するものである。
【背景技術】
【０００２】
従来、この種のかばん錠には、例えば図１１〜１３に示したように、かばん本体に固定する錠体５１と、蓋体に取り付ける掛止板５２とを備え、錠体５１の表面に掛止板５２に穿った嵌合孔５３に係合する係止突部５４を突設し、係止突部５４の表面に外形が同形の掛止部材５５を回動可能に枢着し、その枢軸５６に掛止部材５５を回動させる方向にコイルばね５７を作用させ、掛止板５２の嵌合孔５３を掛止部材５５に嵌めると、錠体５１表面に突出した制止片５８を掛止板５２により押して、掛止部材５５を自動的に９０度回動させて施錠するようにしたものが存在する。前記制止片５８は、図示したように、掛止部材５５の奥側において錠体５１表面の一個所に突出したものとしている（特許文献１）。
【０００３】
このように構成した従来のかばん錠は、掛止板５２の嵌合孔５３を掛止部材５５に嵌めるだけの操作で、掛止部材５５が自動的に回動して施錠できるので、使い勝手かよく、小児向きのランドセル用として好適であるとしている。
【特許文献１】実公平４−２８３７６号公報（第１、２頁、第１、２、５図）
【発明の開示】
【発明が解決しようとする課題】
【０００４】
しかしながら、上記従来のかばん錠は、錠体５１が合成樹脂で一体成形されており、コイルばね５７、制止片５８などの各構成部材を収納する箱形部分を、その錠体５１に直にかたどっているため、錠体５１の形状、模様などのデザインを変更したものにする場合には、前記各構成部材を収納する箱形部分を含む錠体５１の成形型全体を新しいものに変更しなけばならないので、製造コストが高くつくという問題点を有していた。
【０００５】
さらに、上記従来のかばん錠は、錠体５１が合成樹脂で一体成形されているため、強度性を持たせるには、錠体５１の肉厚を大きくしなければならず、錠体５１自体の嵩が大きくなってしまうという問題点を有していた。
【０００６】
また、上記従来のかばん錠は、各構成部材を収納する箱形部分を、錠体５１に直にかたどっているため、これを金属板のプレス加工で作成するのは困難であるので、このような金属板のプレス加工により、錠体５１自体の嵩を小さくすることもできないという問題点を有していた。
【０００７】
そこで、この発明は、上記従来の問題点を解決することをその課題としており、前記各構成部材を収納する箱形部分を錠体とは別体の箱体として設け、錠体の形状、模様などのデザインを変更したものにする場合にも、各構成部材を収納する箱体は変更しなくてもよく、さらに錠体と箱体のそれぞれを金属板のプレス加工で作成することができるようにし、しかも施錠する場合の操作性が優れたかばん錠を提供することを目的としてなされたものである。
【課題を解決するための手段】
【００１０】
そのため、この発明のかばん錠は、かばん本体Ｂに固定する錠体１と、蓋体Ｃに取り付ける掛止板２とを備え、掛止板２に穿った嵌合孔３に係合する係止突体４の底面４ａに設けた止着体６を、錠体１に設けた通孔７に挿入し、この錠体１とは別体とした箱体５の止着孔８に挿入して、止着体６の先端部をかしめたものとして、係止突体４を錠体１表面に突設すると共に、箱体５を錠体１内部に固定し、係止突体４の表面に外形が略同形の掛止部材９を回動可能に枢支し、その枢軸１０に掛止部材９を回動させる方向に作用するコイルばね１１を設け、前記掛止部材９の枢軸１０に、前記箱体５内に一端を枢支して設けた制止板１４に係止する第一フランジ１２ａ、および前記箱体５内に設けた係止体１３に係止する第二フランジ１２ｂを突出した回動制限片１２を固着して、前記掛止部材９が係止突体４と一致した位置、または９０度回動した位置となって停止するようにし、前記制止板１４の中間部に制止片１４ａを突設し、さらに前記制止板１４の他端に、この制止板１４の制止片１４ａを錠体１表面に突出する方向に作用するコイルばね２４を設け、この制止片１４ａを掛止部材９の手前において錠体１表面の一個所に突出させ、また前記掛止板２に磁力が作用するようにした永久磁石２６を錠体１と箱体５の間に装着したものとしている。
【００１１】
そして、この発明のかばん錠において、前記錠体１は、任意の外形状１ａおよび模様１ｂを有したものとしている。
【発明の効果】
【００１２】
この発明のかばん錠は、以上に述べたように構成されているので、錠体１の形状、模様などを他のデザインに変更したものにしても、コイルばね１１、制止片１４ａなどの各部材を収納する箱体５はそのまま用いることができるので、錠体１のデザインを変更したものにする場合には、錠体１のみの成形型を新しいものに変更すればよいので、製造コストが安くなる。さらに、この発明のかばん錠は、錠体１と箱体５のそれぞれを金属板のプレス加工で作成することができるので、錠体自体の嵩を小さくでき、小さいかばんにも体裁よく用いることができる。また、この発明のかばん錠は、制止板１４の中間部に制止片１４ａを突設するなどの独特の構造にしているため、施錠する場合の操作性が優れたものとなる。
【発明を実施するための最良の形態】
【００１３】
以下、この発明のかばん錠の実施の形態を、図面に基づいて詳細に説明する。
【００１４】
この発明のかばん錠は、ランドセルなどのかばん本体Ｂに固定する錠体１と、ランドセルなどの蓋体Ｃに取り付ける掛止板２とを備えている。錠体１は、任意の外形状１ａおよび模様１ｂを有しており、掛止板２に穿った嵌合孔３に係合する係止突体４を錠体１表面中央部に突設すると共に、この錠体１とは別体とした箱体５を前記係止突体４に設けた止着体６により錠体１内部に固定したものとしている。前記係止突体４を突設すると共に、箱体５を固定するには、係止突体４の底面４ａに止着体６を設け、この止着体６を錠体１に設けた通孔７に挿入し、さらに箱体５の止着孔８に挿入して、止着体６の先端部をかしめたものとしている。
【００１５】
前記係止突体４の表面には、外形が略同形の掛止部材９を回動可能に枢支し、その枢軸１０には、掛止部材９を回動させる方向に作用するコイルばね１１を設けている。このコイルばね１１は、巻部を枢軸１０に支持させ、一端を箱体５の側面に係止させ、他端を枢軸１０に固着した回動制限片１２に係止させている。この回動制限片１２は、前記箱体５内に一端を枢支して設けた制止板１４に係止される第一フランジ１２ａ、および箱体５内に設けた係止体１３に係止される第二フランジ１２ｂを突出したものとしている。第一フランジ１２ａには、制止板１４に摺接する傾斜壁部１５ａが形成され、さらにこの傾斜壁部１５ａの最上端よりに、制止板１４の一側部に係止される垂直壁部１５ｂが形成されている。第二フランジ１２ｂには、箱体５に内に設けた係止体１３に係止される水平当部１６が形成されている。
【００１６】
前記箱体５は、底面の中央に通孔１７が設けられると共に、側面の上端に係止片１８が設けられた本体部５ａと、上面の中央に止着孔１９が設けられると共に、上面と側面の境目に係止孔２０が設けられた蓋部５ｂとからなる。そして、係止突体４に設けた通孔２１、および錠体１に設けた通孔２２を通過させて、本体部５ａの通孔１７に掛止部材９の枢軸１０を挿入し、この枢軸１０を蓋部５ｂの止着孔１９に挿入して、ワッシャー２３を介して枢軸１０の先端をかしめ、さらに本体部５ａの係止片１８を蓋部５ｂの係止孔２０に挿入して、係止片１８を折り曲げることにより、本体部５ａに蓋部５ｂを結合したものとしている。さらに、本体部５ａには、前記係止体１３が設けられると共に、後に述べるコイルばね２４の支持体２５が設けられ、さらに後に述べる永久磁石２６の嵌合凹部２７が設けられている。
【００１７】
前記掛止部材９は、回動制限片１２の第一フランジ１２ａが制止板１４に係止された状態で、係止突体４と一致した位置となって停止するようにしており、回動制限片１２の第二フランジ１２ｂが止め体１３に係止された状態で、係止突体４と９０度回動した位置となって停止するようにしている。
【００１８】
前記制止板１４は、一端を箱体５内に枢支したものとし、他端にコイルばね２４を設けたものとしている。このコイルばね２４は、後に述べる制止板１４の制止片１４ａを錠体１表面に突出する方向に作用するようにしている。制止板１４の一端を箱体５内に枢支するには、その一端に枢支孔２８を設け、この枢支孔２８を箱体５内に設けた枢支体２９により枢支するようにしている。制止板１４の他端にこの制止板１４の制止片１４ａを錠体１表面に突出する方向に作用するコイルばね２４を設けるには、その他端に通孔３０を設け、この通孔３０に箱体５内に設けた支持体２５を挿入して、この支持体２５にコイルばね２４を支持させ、このコイルばね２４の一端を箱体５の蓋部５ｂに当接させると共に、コイルばね２４の他端を制止板１４の他端に当接させたものとしている。さらに、前記制止板１４の中間部には、先に述べた制止片１４ａを突設している。この制止片１４ａは、箱体５内に設けた通孔３１に挿入し、前記掛止部材９の手前において錠体１に設けた突出孔３２から、錠体１表面の一個所に突出させている。
【００１９】
前記永久磁石２６は、掛止板２に磁力が作用するようにしており、錠体１と箱体５の間に装着したものとしている。錠体１と箱体５の間に永久磁石２６を装着したものとするには、箱体５に設けた嵌合凹部２７に永久磁石２６を嵌合して、この箱体５と錠体１とで挟み込んだものとしている。なお、永久磁石２６は、図示したものは円板形状としているが、四角や楕円、その他適宜の形状にしてもよいのはいうまでもない。
【００２０】
以上のように構成したこの発明のかばん錠は、図５〜７に示した状態から、掛止板２の嵌合孔３を掛止部材９に嵌めると、掛止板２は永久磁石２６に吸着されて錠体１表面にいったん仮り止めされる。この状態から掛止板２を押さえると、錠体１表面に突出した制止片１４ａがこの掛止板２によって押し込まれるため、制止板１４が押し上げられ、この制止板１４の側部と回動制限片１２の第一フランジ１２ａの垂直壁部１５ｂとの係合が解除される。そして、制止板１４との係合が解除された回動制限片１２は、コイルばね１１の作用によって９０度回動して、第二フランジ１２ｂの水平当部１６が係止体１３に係合して停止する。すると、この回動制限片１２に固着した掛止部材９の枢軸１０も９０度回動し、掛止部材９が係止突体４と一致した位置から、自動的に９０度回動した位置となって停止し施錠状態になり、図８〜１０に示したように、錠体１に掛止板２を止めておくことができる。
【００２１】
前記図８〜１０に示した施錠状態から、掛止部材９を指先で摘んで、逆に９０度回動させると、回動制限片１２の第一フランジ１２ａの傾斜壁部１５ａが制止板１４に摺接して回動し、この傾斜壁部１５ａが制止板１４を通り過ぎると、制止板１４はコイルばね２４により押し下げられ、この制止板１４の側部と第一フランジ１２ａの垂直壁部１５ｂとが再び係合して、回動制限片１２は停止する。すると、前記掛止部材９が係止突体４と９０度回動した位置から、係止突体４と一致した位置となって停止し解錠状態になり、図５〜７に示したように、錠体１から掛止板２を外すことができる。
【図面の簡単な説明】
【００２２】
【図１】この発明のかばん錠の一実施形態を示しており、ランドセルの底部に取り付けた状態を示す平面図である。
【図２】図１に示すこの発明のかばん錠の錠体を裏側から見た状態の斜視図である。
【図３】図１に示すこの発明のかばん錠の錠体を、箱体の蓋部を外して裏面から見た状態の斜視図である。
【図４】図１に示すこの発明のかばん錠の錠体の分解斜視図である。
【図５】この発明のかばん錠の解錠状態を示す平面図である。
【図６】図５に示すこの発明のかばん錠を、箱体の蓋部を外して裏側から見た状態の平面図である。
【図７】図５中のＡ−Ａ線によるこの発明のかばん錠の要部断面図である。
【図８】この発明のかばん錠の施錠状態を示す平面図である。
【図９】図８に示すこの発明のかばん錠を、箱体の蓋部を外して裏側から見た状態の平面図である。
【図１０】図８中のＢ−Ｂ線によるこの発明のかばん錠の要部断面図である。
【図１１】従来のかばん錠の一例を示す平面図である。
【図１２】図１１に示す従来のかばん錠において、錠体の蓋板を取り外した状態の平面図である。
【００２３】
【図１３】図１２のＣ−Ｃ線による従来のかばん錠の断面図である。
【符号の説明】
【００２４】
１  錠体
１ａ  外形状
１ｂ  模様
２  掛止板
３  嵌合孔
４  係止突体
４ａ  底面
５  箱体
６  止着体
７  通孔
８  止着孔
９  掛止部材
１０  枢軸
１１  コイルばね
１２  回動制限片
１２ａ  第一フランジ
１２ｂ  第二フランジ
１３  係止体
１４  制止板
１４ａ  制止片
２４  コイルばね
２６  永久磁石
Ｂ  本体
Ｃ  蓋体
【図１】
0004446277.tif 000002
【図２】
0004446277.tif 000003
【図３】
0004446277.tif 000004
【図４】
0004446277.tif 000005
【図５】
0004446277.tif 000006
【図６】
0004446277.tif 000007
【図７】
0004446277.tif 000008
【図８】
0004446277.tif 000009
【図９】
0004446277.tif 000010
【図１０】
0004446277.tif 000011
【図１１】
0004446277.tif 000012
【図１２】
0004446277.tif 000013
【図１３】
0004446277.tif 000014